(57)【要約】【課題】軸部材の締結解除の操作性が良好で、軸部材の抜き差しの都度の操作を不要として良好な使い勝手の構造とする。【解決手段】簡易締結装置１０は、ロック駒３がばね４によってケース１内で軸部材６との係合方向に付勢されており、ケース１への軸部材６の挿通によってロック駒３が軸部材６から退避した後、軸部材６と係合して締結する構造となっている。締結解除を行う解除部材５がケース１に直線移動可能に設けられると共に、当該直線移動によってロック駒３が軸部材６から退避するように解除部材５とロック駒３とが連結されている。【選択図】図１
2005163881.tif 000002
【特許請求の範囲】
【請求項１】
ロック駒がばねによってケース内で軸部材との係合方向に付勢されており、ケースへの軸部材の挿通によってロック駒が軸部材から退避した後、軸部材と係合して締結する構造であって、
締結解除を行う解除部材がケースに直線移動可能に設けられると共に、当該直線移動によってロック駒が軸部材から退避するように解除部材とロック駒とが連結されていることを特徴とする簡易締結装置。
【請求項２】
前記解除部材は軸部材の挿通方向と交差する方向に直線移動可能となっており、前記ばねは当該交差方向に解除部材を付勢することにより解除部材を介して前記ロック駒を軸部材との係合方向に付勢していることを特徴とする請求項１記載の簡易締結装置。
【請求項３】
前記ケースの外面に軸部材の挿通方向と交差する方向のガイド溝が形成され、前記解除部材はガイド溝を摺動するガイドアーム部を有しており、このガイドアーム部とロック駒とがピンによって連結されていることを特徴とする請求項１または２記載の簡易締結装置。
【請求項４】
前記ケースは、軸部材の挿通方向に沿って軸部材から遠ざかる傾斜となっており、前記ロック駒が摺動するテーパ部と、このテーパ部と対向しており、ロック駒が係合した軸部材の外面を支承する支承壁部とが形成されていることを特徴とする請求項１〜３のいずれか１項記載の簡易締結装置。
【発明の詳細な説明】
【技術分野】
【０００１】
本発明は、建設、電気、機械や自動車等の設備や機器類の固定に使用され、ワンタッチでの締結ができるばかりでなく、ワンタッチでの取り外しも可能な簡易締結装置に関する。
【背景技術】
【０００２】
上述した設備や機器類への締結を行う従来の簡易締結装置としては、特公昭５５−５０２０３号公報に開示されている。
【０００３】
この従来の簡易締結装置は、ボルトへの締結を行うために用いられるものであり、ボルトが挿通するケースにテーパ孔を形成し、このテーパ孔に複数のナットセグメントを摺動自在に配置している。ナットセグメントはボルトに噛合するものであり、この噛合によってボルトとの締結が行われる。この場合、ナットセグメントは、その上部に設けたばねによって押圧されることにより、ボルトとの噛み込み方向に付勢されている。また、ナットセグメントのボルトへの締結を解除するため、操作環が設けられている。
【０００４】
操作環はケースに回転操作可能に取り付けられており、その内面には、ナットセグメントに取り付けられたガイドピンが摺動するカム部が形成されている。カム部のカム面は、ボルトと噛み込む下限位置及びボルトとの締結が解除される上限位置でナットセグメントが停止すると共に、これらの間でナットセグメントが移動するように形成されている。
【０００５】
このような簡易締結装置においては、ボルトをケース内に挿入することにより、ナットセグメントがばねの付勢力に抗してテーパ孔に沿って上昇するため、ボルトをケース内に挿入することができる。ボルトの挿入後には、ばねの付勢力によってナットセグメントが下降してボルトと対面するため、締め付け方向にケースを回転させることによりナットセグメントがボルトに噛合して締結が行われる。
【０００６】
ボルトを外す場合には、操作環を回転操作して、ガイドピンをカム部に沿って摺動させる。この回転操作によってナットセグメントが下限位置から上限位置に移動するため、ボルトへの噛み込みが解除される。
【０００７】
ボルトを再度、締結する場合には、操作環をさらに回転操作する。これにより、ガイドピンがカム面を摺動してナットセグメントが上限位置から下限位置に移動し、ボルトへの噛み込み待機状態となる。
【特許文献１】特公昭５５−５０２０３号公報
【発明の開示】
【発明が解決しようとする課題】
【０００８】
従来の簡易締結装置においては、ボルトをケースに挿入するだけでボルトに締結できるため、ワンタッチでの締結が可能となっている。しかしながら、締結されたボルトを外す場合には、操作環を回転操作してナットセグメントを移動させる必要があるが、このような回転操作は操作性が悪いため、ボルトの締結解除操作が面倒となっている。
【０００９】
これに加えて、ボルトを再締結するためには、操作環をさらに回転操作してナットセグメントを待機位置に戻す必要がある。従って、ボルトの抜き差しの都度、操作環を回転操作する必要があり、操作が煩雑で使い勝手が悪いものともなっている。
【００１０】
さらに、ナットセグメントを移動させるため、複雑な形状のカム部を操作環に形成する必要があり、操作環の構造が複雑となるばかりでなく、装置全体の組み立てが面倒となる問題も有している。
【００１１】
本発明は、このような従来の問題点を考慮してなされたものであり、ボルトを始めとする軸部材の締結をワンタッチで行うことができるだけでなく、締結解除の操作性が良好であり、しかも軸部材の抜き差しの都度の操作を不要として良好な使い勝手とすることができ、さらには構造が簡単で組み立てが容易な簡易締結装置を提供することを目的とする。
【課題を解決するための手段】
【００１２】
上記目的を達成するため、請求項１の発明の簡易締結装置は、ロック駒がばねによってケース内で軸部材との係合方向に付勢されており、ケースへの軸部材の挿通によってロック駒が軸部材から退避した後、軸部材と係合して締結する構造であって、締結解除を行う解除部材がケースに直線移動可能に設けられると共に、当該直線移動によってロック駒が軸部材から退避するように解除部材とロック駒とが連結されていることを特徴とする。
【００１３】
請求項１の発明では、軸部材をケース内に挿通させることによりロック駒が軸部材から退避し、その後、ロック駒が軸部材に係合して軸部材との締結が行われる。このため、軸部材の締結をワンタッチで行うことができる。
【００１４】
また、ケースに直線移動可能に設けられた解除部材がロック駒と連結されるが、この連結は解除部材の直線移動によってロック駒が軸部材から退避するように行われている。このため、解除部材が直線移動することによりロック駒が軸部材から退避して軸部材との係合から外れ、これにより軸部材の締結が解除される。従って、直線移動操作による締結解除であり、回転操作を行う必要がないため、締結解除の操作性が向上する。
【００１５】
さらに、解除部材とロック駒とが連結されているため、締結解除の後においては、ばねの付勢力によって解除部材及びロック駒が元の位置に自動的に復帰して待機状態となる。これにより、そのままで軸部材の再締結を行うことができる。従って、軸部材の抜き差しの都度、待機状態とするための操作が不要となり、良好な使い勝手とすることができる。
【００１６】
これに加えて、解除部材はケースに対して直線移動可能であれば良く、簡単な構造とすることができ、組み立ても容易となる。
【００１７】
請求項２の発明は、請求項１記載の簡易締結装置であって、前記解除部材は軸部材の挿通方向と交差する方向に直線移動可能となっており、前記ばねは当該交差方向に解除部材を付勢することにより解除部材を介して前記ロック駒を軸部材との係合方向に付勢していることを特徴とする。
【００１８】
請求項２の発明では、解除部材が軸部材の挿通方向と交差する方向に直線移動可能となっているため、解除部材への直線移動操作を軸部材と干渉することなく行うことができ、操作性が向上する。
【００１９】
また、ロック駒が解除部材を介してばねにより付勢されているため、単一のばねで解除部材及びロック駒を付勢することができる。これにより、これらを個々に付勢するためのばねが不要となり、部品点数が減じ、構造が簡単となると共に組み立てを容易に行うことができる。
【００２０】
請求項３の発明は、請求項１または２記載の簡易締結装置であって、前記ケースの外面に軸部材の挿通方向と交差する方向のガイド溝が形成され、前記解除部材はガイド溝を摺動するガイドアーム部を有しており、このガイドアーム部とロック駒とがピンによって連結されていることを特徴とする。
【００２１】
請求項３の発明では、解除部材に設けたガイドアーム部がケース外面のガイド溝を摺動することにより、解除部材が直線移動するため、解除部材の移動が安定して操作性がさらに向上する。また、解除部材とロック駒とがピンによって連結されるため、簡単な連結構造とすることができ、組み立てが容易ともなる。
【００２２】
請求項４の発明は、請求項１〜３のいずれか１項に記載の簡易締結装置であって、前記ケースは、軸部材の挿通方向に沿って軸部材から遠ざかる傾斜となっており、前記ロック駒が摺動するテーパ部と、このテーパ部と対向しており、ロック駒が係合した軸部材の外面を支承する支承壁部とが形成されていることを特徴とする。
【００２３】
請求項４の発明では、ケースに形成したテーパ部に沿ってロック駒が摺動するため、軸部材からの退避方向や係合方向へのロック駒の移動を確実に行うことができ、作動が安定する。また、テーパ部に支承壁部が形成され、支承壁部が軸部材を支承するため、軸部材を強固に締結することができ、安定して締結を行うことができる。
【発明の効果】
【００２４】
本発明の簡易締結装置によれば、軸部材の締結をワンタッチで行うことができるばかりでなく、締結解除が解除部材への直線移動操作によって行われるため、締結解除の操作性が向上する。また、解除部材及びロック駒がばねの付勢力によって元の位置に自動的に復帰して再締結の待機状態となるため、軸部材の抜き差しの都度、待機状態とするための操作が不要となり、良好な使い勝手とすることができる。さらに、簡単な構造のため、容易に組み立てることができる。
【発明を実施するための最良の形態】
【００２５】
以下、本発明を図示する実施の形態により具体的に説明する。なお、各実施の形態において同一の部材には同一の符号を付して対応させてある。
【００２６】
（実施の形態１）
図１〜図１３は、本発明の実施の形態１における簡易締結装置１０であり、図１は簡易締結装置１０の分解斜視図、図２〜図４は組立状態、図５〜図７はケース１、図８はロック駒３、図９〜図１１は解除部材５、図１２はキャップ８、図１３は締結の作動状態をそれぞれ示す。
【００２７】
この実施の形態の簡易締結装置１０は、軸部材としてのボルト６に締結するために使用されるものであり、ケース１、ロック駒３、ばね４及び解除部材５を備えている。
【００２８】
ケース１は、全体の外形が平面から見て六角形状に成形されており、これにより、ボルト６への締め付けを行う際の回転の操作性が向上している。ケース１の内部には、図５〜図７に示すように、ボルト６が挿通するための挿通孔１ａが略中央部分に上下方向に沿って貫通している。この挿通孔１ａに対し、テーパ部１ｂが対向するように形成されている。テーパ部１ｂは、円筒形状の挿通孔１ａの下部から上部に向かって径が漸増する傾斜面となっており、これによりボルト６の挿通方向に沿ってボルト６から徐々に遠ざかる傾斜となっている。また、挿通孔１ａにおけるテーパ部１ｂと対向する円筒状の面は、挿通孔１ａ内のボルト６にロック駒３が係合したときにボルト６の外面を支承する支承壁部１ｃとなっている。
【００２９】
ケース１の外側面は、上下端部よりもくびれた形状となっており、この外側面に平行となった一対のガイド溝１ｄが形成されている。一対のガイド溝１ｄは、挿通孔１ａが延びる方向（すなわち、ボルト６の挿通方向）と直交状に交差するように形成されている。このガイド溝１ｄには、後述する解除部材５のガイドアーム部５ｂが摺動する。このように、ガイドアーム部５ｂがガイド溝１ｄを摺動することにより解除部材５の移動を安定して行うことができる。
【００３０】
さらに、ケース１には、後述するばね４を受け入れるばね受け孔１ｅが形成されている。ばね受け孔１ｅは、挿通孔１ａが延びる方向（ボルト６の挿通方向）と直交状に交差するようにケース１の外側面に形成されるものであり、挿通孔１ａとは遮断された有底孔構造となっている。
【００３１】
これに加えて、ケース１には、ピン孔１ｆが形成されている（図６参照）。ピン孔１ｆは、後述するスプリングピン７が挿通するものであり、ケース１におけるガイド溝１ｄの形成側面に対となって形成されている。このピン孔１ｆは、テーパ部１ｂの傾斜と同じ傾斜を有した長孔となっており、スプリングピン７の動きを規制するように作用する。なお、ケース１の上面には、キャップ８を係止するための係止溝１ｇが形成されている（図５参照）。
【００３２】
ロック駒３は、ボルト６に噛合することによりボルト６と係合するものであり、このため図８に示すように、ボルト６と対向する面に係合歯３ａとしての雌ねじ部が形成されている。このロック駒３は、ケース１のテーパ部１ｂ上を摺動するものであり、テーパ部１ｂとの対向部位には、テーパ部１ｂと同傾斜の摺動面３ｂが形成されている。また、ロック駒３には、スプリングピン７が貫通するピン孔３ｃが横方向に貫通している。ピン孔３ｃは、スプリングピン７が圧入されるものであり、このためピン孔３ｃはスプリングピン７よりも若干小さな径を有した円形状に形成されている。この実施の形態において、ロック駒３は１個が使用されるものである。
【００３３】
ばね４は、ケース１の外側面に形成されたばね受け孔１ｅ内に挿入される。ばね４としては、コイルばねが使用されているが、皿ばね等の他の弾性部材であっても良い。このばね４は、挿通孔１ａが延びる方向（ボルト６の挿通方向）と略直交する方向に解除部材５を付勢するものである。また、ばね４は解除部材５を介してボルト６と係合する方向にロック駒３を付勢している。
【００３４】
解除部材５は、図９〜図１１に示すように、中央のアーム部５ａの両端からガイドアーム部５ｂが略直交状に屈曲した形状となっており、これにより平面から見てコ字形に形成されている。解除部材５はそのガイドアーム部５ｂがケース１のガイド溝１ｄに摺動自在に挿入されることによりケース１の外側に取り付けられるものであり、アーム部５ａにおけるケース１との対向面には、筒部５ｃが形成されている。筒部５ｃは、ケース１のばね受け孔１ｅに挿入されるものであり、ばね受け孔１ｅ内への挿入によって、筒部５ｃはばね受け孔１ｅ内のばね４を受けるようになっている。これにより、解除部材５に対し、ばね４の付勢力を作用させることができる。このような解除部材５は、ボルト６の挿通方向と略直交状に交差する方向に直線移動可能となってケース１に取り付けられるものであり、その一方向（右方向）への直線移動によってボルト６との締結を解除するように作用する。
【００３５】
さらに、解除部材５には、ピン孔５ｄが形成されている。ピン孔５ｄは、一対のガイドアーム部５ｂの先端側（右端側）に位置するように形成されるものであり、この実施の形態では、垂直方向（ボルト６の挿通方向）に延びた長孔となっている。このピン孔５ｄは、スプリングピン７が挿入されるものであり、この挿入によりスプリングピン７の動きを規制するように作用する。
【００３６】
スプリングピン７は、図４に示すように、ロック駒３、ケース１及び解除部材５にかけて挿入される。このようなスプリングピン７の挿入により、解除部材５とロック駒３とが連結され、これにより解除部材５へのばね４の付勢力を解除部材５を介してロック駒３に作用させることができる。
【００３７】
キャップ８は、図１２に示すように、ケース１と同一サイズの六角形状に形成されており、ケース１の上部に嵌合状態で取り付けられる。この嵌合を行うため、キャップ８には、ケース１の係止溝１ｇに係止する係止凸部８ａが形成されている。また、キャップ８には、ボルト６が貫通する円形の孔部８ｂが略中央部分に形成されている。かかるキャップ８は、ケース１内のロック駒３が外部から見えないようにするための部材であり、基本的な機能には関係がないため、省略しても良い。
【００３８】
この実施の形態の簡易締結装置１０の組み立ては、ケース１のテーパ部１ｂ内にロック駒３を載置した後、ケース１のばね受け孔１ｅにばね４をセットし、この状態で、ケース１のガイド溝１ｄ内に解除部材５のガイドアーム部５ｂを挿入する。そして、スプリングピン７を解除部材５の一方のピン孔５ｄから挿入してケース１のピン孔１ｆに挿入し、ロック駒３のピン孔３ｃに圧入して反対側まで貫通させる。これにより、スプリングピン７を介して解除部材５とロック駒３とが連結した状態とすることができ、１個のばね４によって解除部材５及びロック駒３を付勢することができる。すなわち、ばね４は解除部材５を図２（ｂ）の矢印Ｐで示す方向に付勢すると共に、テーパ部１ｂ上のロック駒３を図３の矢印Ｑで示す挿通孔１ａの縮径方向（ボルト６との係合方向）に付勢するものである。
【００３９】
このような簡易締結装置１０では、部品点数が少なく、構造が簡単であるため、簡単に組み立てを行うことができる。なお、以上の組み立ての後、キャップ８をケース１に被せて使用可能状態とする。
【００４０】
図１３は、この実施の形態における簡易締結装置１０のボルト６への締結手順を示す。図１３（ａ）で示すように、ケース１の挿通孔１ａがボルト６と対向するようにケース１とボルト６との相対位置決めを行う。その後、図１３（ｂ）で示すように、スプリングピン７及びばね４に抗した力で簡易締結装置１０を矢印Ｉ方向に移動させてボルト６を挿通孔１ａに押し込む。これにより、ロック駒３がテーパ部１ｂに沿って上方に移動して、ボルト６から退避する。このような退避では、ロック駒３の雌ねじ部３ａがボルト６と噛合しないため、簡易締結装置１０を回すことなく押し込むだけで挿通が完了する（図１３（ｃ）参照）。挿通が完了した状態では、ロック駒３がばね４の付勢力によりテーパ部１ｂに沿って下方に移動するため、ロック駒３とボルト６とが係合する。その後あるいは係合の前に、ケース１をねじの締め付けと同様な要領で回すことにより、ロック駒３とボルト６とが噛合して締結が完了する。
【００４１】
かかる締結状態では、ボルト６におけるロック駒３の係合側との反対側が挿通孔１ａの支持壁部１ｃに当接して支承される。このため、ボルト６に強固に締結することができ、安定して締結を行うことができる。
【００４２】
ボルト６を取り外すときは、簡易締結装置１０を少し緩めた（例えば、締め付けと反対方向に回転させる）後、解除部材５をケース１に対して矢印Ｒ方向に押し込むことにより、解除部材５をばね４の付勢力に抗してボルト６の挿通方向と略直交する方向に直線移動させる。この移動につれてスプリングピン７が押されるため、スプリングピン７を介してロック駒３がテーパ部１ｂに沿って上方へ移動する。すなわち、ロック駒３はボルト６との退避方向に移動する。かかるロック駒３の退避方向への移動により、ロック駒３とボルト６とが係合から外れるため、ボルト６への締結が解除される。これにより、図１３（ｄ）で示す矢印Ｊ方向に移動させることにより、ボルト６を引き抜くことができる。
【００４３】
このような実施の形態では、ボルト６との締結解除を解除部材５への直線移動操作だけで行うことができるため、回転操作を行う必要がなく、締結解除の操作性が向上する。
【００４４】
また、解除部材５がばね４によって付勢されていると共に、解除部材５とロック駒３とがスプリングピン７によって連結されているため、ボルト６の引き抜き後においては、ばね４の付勢力によって解除部材５及びロック駒３が元の位置に自動的に復帰して待機状態となる。従って、そのままでボルト６への再締結を行うことができる。このため、ボルトへの抜き差しの都度、待機状態とするための操作が不要となり、極めて良好な使い勝手とすることができる。
【００４５】
さらに、ボルト６の締結解除は、解除部材５をボルト６の挿通方向と略直交する交差方向に直線移動させることにより行われるため、解除部材５がボルト６と干渉することがなく、解除の操作性が向上する。
【００４６】
さらに、また、ボルト６の締結及び締結解除のいずれにおいても、ロック駒３がテーパ部１ｂを摺動するため、ロック駒３の移動を確実に行うことができ、締結及びその解除の作動が安定する。
【００４７】
また、さらに、スプリングピン７が貫通するケース１のピン孔１ｆ及び解除部材５のピン孔５ｄが長孔となっているため、スプリングピン７の移動を円滑に行うことができ、これに伴うロック駒３の移動も円滑に行うことが可能となる。
【００４８】
上述した形態では、長孔からなる解除部材５のピン孔５ｄが垂直方向に形成されているが、このピン孔５ｄとしては、垂直ではなく角度を有して形成しても良い。図１４は、ピン孔５ｄが角度αを有するように形成した場合を示し、ケース１のテーパ部１ｂと反対の方向に傾いた角度αとなっている。このような方向への角度αを設けることにより、スプリングピン７を押す操作を軽くすることができる。この角度αとしては、ケース１のテーパ部１ｂに対して９０°とすることにより、最も軽く行うことが可能となるものである。
【００４９】
（実施の形態２）
図１５は、実施の形態２の締結手順を示している。この実施の形態では、簡易締結装置１０に対し、軸部材９が外周面に鋸歯形状等の円環状の係合歯９ａを有している場合であり、軸部材９の係合歯９ａと係合するロック駒３には、同様な円環状の係合歯３ｈが形成されている。また、軸部材９には、被固定部材１１が設けられている。このような構造では、ねじ係合を行う実施の形態１のように、増し締めや締め付けを行うことができないものとなる。
【００５０】
この実施の形態では、簡易締結装置１０と被固定部材１１との間に皿ばね等の弾性部材１２を配置するものであり、弾性部材１２は被固定部材１１上に載置されている。軸部材９との締結においては、実施の形態１と同様に、簡易締結装置１０を矢印Ｉ方向に軸部材９を挿通孔１ａに押し込む（図１５（ａ）及び（ｂ）参照）。このときにおけるロック駒３の作動は実施の形態１と同様である。
【００５１】
矢印Ｉ方向への移動によって、簡易締結装置１０は弾性部材１２を被固定部材１１との間で挟み込む。これにより、弾性部材１２が撓みながら押さえ込まれるため（図１５（ｃ））、弾性部材１２の押圧力を被固定部材１１に作用させることができる。この弾性部材１２の押さえ込みと共に、ロック駒３の係合歯３ｈが軸部材９の係合歯９ａに係合する。このように弾性部材１２の押圧力を作用させることにより、がたつきのない締結が可能となる。なお、図１５（ｄ）は、締結解除の後における軸部材９の引き抜きを示すものであり、実施の形態１と同様な作動によって引き抜きを行うことができる。
【００５２】
（実施の形態３）
図１６及び図１７は、実施の形態３の簡易締結装置２０を示す。この実施の形態では、ロック駒３を２個用いるものである。
【００５３】
図１７に示すように、ケース１の内部には、ロック駒３が摺動するテーパ部１ｂが対向するように一対形成されている。一対のテーパ部１ｂは、挿通孔１ａと挟んだ位置で対向しており、いずれも実施の形態１と同様に、挿通孔１ａの下部から上部に向かって径が漸増する傾斜面となっており、これにより軸部材の挿通方向に沿って軸部材から徐々に遠ざかる傾斜となっている。
【００５４】
ロック駒３は係合歯３ａが対面するようにそれぞれのテーパ部１ｂ上に摺動可能にセットされる。なお、係合歯３ａとしては、軸部材の係合歯に合わせて形成されるものであり、軸部材の係合歯が雄ねじの場合には、係合歯３ａとして雌ねじが形成される。
【００５５】
解除部材５のガイドアーム部５ｂには、それぞれのロック駒３に対応するようにピン孔５ｄが形成されている。ピン孔５ｄはスプリングピン７が貫通するものであり、長孔となっているが、図１４と同様に、ケース１のテーパ部１ｂとは、反対の方向に傾いた角度となっている。２個のロック駒３は、スプリングピン７を介して解除部材５に連結され、これにより、それぞれのロック駒３には、解除部材５を介してばね４の付勢力が作用している。
【００５６】
このような実施の形態では、軸部材を挿通孔１ａに挿通させることにより、２個のロック駒３がテーパ部１ｂに沿って上方に摺動して軸部材から退避する。この退避の後には、ロック駒３が軸部材に両側から係合して締結が行われる。従って、ワンタッチでの締結を行うことができる。このように２個のロック駒３が係合して締結を行う構造では、軸部材を強固に締結することができ、安定して締結が可能となる。
【００５７】
軸部材を取り外すときは、実施の形態１と同様に、解除部材５をばね４の付勢力に抗して軸部材の挿通方向と略直交する方向に直線移動させ、スプリングピン７を介して２個のロック駒３をテーパ部１ｂに沿って上方へ移動させて軸部材との退避方向に移動させる。これにより、２個のロック駒３による締結を解除することができる。この解除においても、解除部材５の直線移動によって行われるため、締結解除の操作性が向上する。
【００５８】
（実施の形態４）
図１８〜図２０は、実施の形態４の簡易締結装置３０を示す。この実施の形態では、軸部材１５が矩形軸の場合への適用を示すものである。
【００５９】
図２０に示すように、矩形軸からなる軸部材１５は、その一面に係合歯１５ａが形成されている。係合歯１５ａは軸方向と直交する方向の溝形状（例えば、鋸歯形状）となっている。軸部材１５が矩形軸からなるため、軸部材１５が挿通するケースの挿通孔１ａも矩形に形成される（図１８参照）。また、軸部材の係合するロック駒３の係合歯３ｍは、軸部材１５の係合歯１５ａと同様な形状に形成されるものである。
【００６０】
その他の構造は、実施の形態１と同様であり、軸部材１５への締結及び解除の作動も実施の形態１と同様である。この場合、軸部材１５が矩形軸からなるため、回転による締め付けは行わないものであり、ロック駒３はばね４の付勢力によって軸部材１５と係合して締結が行われる。なお、この実施の形態においては、キャップ８は省略されるものである。
【００６１】
本発明は、以上の実施の形態に限定されることなく、種々変形が可能である。例えば、解除部材５の直線移動は軸部材の挿通方向と交差していれば、直交状に交差する必要はないものである。また、解除部材５のガイドアーム部５ｂを一対設けることなく、単一としても良い。さらに、解除部材５とロック駒３との連結を単なるピンによって行っても良い。
【図面の簡単な説明】
【００６２】
【図１】本発明の実施の形態１における分解斜視図である。
【図２】（ａ），（ｂ），（ｃ）は実施の形態１の平面図、側面図及び左側面図である。
【図３】図２（ａ）におけるＡ−Ａ線断面図である。
【図４】図３におけるＢ−Ｂ線断面図である。
【図５】（ａ），（ｂ），（ｃ）は実施の形態１のケースの平面図、正面図及び左側面図である。
【図６】図５（ａ）におけるＣ−Ｃ線断面図である。
【図７】図６におけるＢ−Ｂ線断面図である。
【図８】（ａ）は実施の形態１のロック駒の平面図、（ｂ）は（ａ）におけるＥ−Ｅ線断面図である。
【図９】（ａ）は実施の形態１の解除部材の平面図、（ｂ）は正面図である。
【図１０】図９（ａ）におけるＦ−Ｆ線断面図である。
【図１１】図１０におけるＧ−Ｇ線断面図である。
【図１２】（ａ）は実施の形態１のキャップの平面図、（ｂ）はそのＨ−Ｈ線断面図である。
【図１３】（ａ），（ｂ），（ｃ），（ｄ）は実施の形態１の作動を示す断面図である。
【図１４】実施の形態１の変形々態を示す正面図である。
【図１５】（ａ），（ｂ），（ｃ），（ｄ）は実施の形態２の作動を示す断面図である。
【図１６】（ａ），（ｂ）は実施の形態３の平面図及び正面図である。
【図１７】図１６（ａ）におけるＭ−Ｍ線断面図である。
【図１８】（ａ），（ｂ）は実施の形態４の平面図及び正面図である。
【図１９】図１８（ａ）におけるＫ−Ｋ線断面図である。
【図２０】（ａ），（ｂ）は実施の形態４が適用される軸部材の平面図及び正面図である。
【符号の説明】
【００６３】
１０，２０，３０  簡易締結装置
１  ケース
１ａ  挿通孔
１ｂ  テーパ部
１ｃ  支承壁部
１ｄ  ガイド溝
３  ロック駒
４  ばね
５  解除部材
５ｂ  ガイドアーム部
７  スプリングピン
６  ボルト（軸部材）
９，１５  軸部材
【図１】
2005163881.tif 000003
【図２】
2005163881.tif 000004
【図３】
2005163881.tif 000005
【図４】
2005163881.tif 000006
【図５】
2005163881.tif 000007
【図６】
2005163881.tif 000008
【図７】
2005163881.tif 000009
【図８】
2005163881.tif 000010
【図９】
2005163881.tif 000011
【図１０】
2005163881.tif 000012
【図１１】
2005163881.tif 000013
【図１２】
2005163881.tif 000014
【図１３】
2005163881.tif 000015
【図１４】
2005163881.tif 000016
【図１５】
2005163881.tif 000017
【図１６】
2005163881.tif 000018
【図１７】
2005163881.tif 000019
【図１８】
2005163881.tif 000020
【図１９】
2005163881.tif 000021
【図２０】
2005163881.tif 000022